(57)【要約】【課題】  表面にコケや藻類などの植物が生育できる植生基盤層を設けたコンクリートブロックの提供。【解決手段】  植生基盤層８は細骨材９と植生基盤材１０及びこれら細骨材９と植生基盤材１０の表面を被覆して連結するセメント１１にて構成し、間には微細な空隙１２を形成している。【選択図】    図１
0003115722.tif 000002
【実用新案登録請求の範囲】
【請求項１】
表面にコケや藻類などの植物が生育できる植生基盤層を設けたコンクリートブロックにおいて、上記植生基盤層は細骨材と植生基盤材及びこれら細骨材と植生基盤材の表面を被覆して連結するセメントペーストにて構成し、間には微細な空隙を形成したことを特徴とする植生コンクリートブロック。
【請求項２】
上記植生基盤材を天然無機物（トルマリン、ゼオライト）、高分子有機物（キトサン）、炭素材、微生物などで構成される植物活性材にて構成した請求項１記載の植生コンクリートブロック。
【請求項３】
上記植生基盤材を人工ゼオライトにて構成した請求項１記載の植生コンクリートブロック。
【請求項４】
上記植生基盤材を吸水・保水性混和材にて構成した請求項１記載の植生コンクリートブロック。
【請求項５】
上記植生基盤材を天然無機物（トルマリン、ゼオライト）、高分子有機物（キトサン）、炭素材、微生物などで構成される植物活性材、及び人工ゼオライトにて構成した請求項１記載の植生コンクリートブロック。
【請求項６】
上記植生基盤材を天然無機物（トルマリン、ゼオライト）、高分子有機物（キトサン）、炭素材、微生物などで構成される植物活性材、及び吸水・保水性混和材にて構成した請求項１記載の植生コンクリートブロック。
【請求項７】
上記植生基盤材を人工ゼオライト、及び吸水・保水性混和材にて構成した請求項１記載の植生コンクリートブロック。
【請求項８】
上記植生基盤材は、天然無機物（トルマリン、ゼオライト）、高分子有機物（キトサン）、炭素材、微生物などで構成される植物活性材、吸水・保水性混和材、及び人工ゼオライトにて構成した請求項１記載の植生コンクリートブロック。
【請求項９】
表面にコケや藻類などの植物が生育できる植生基盤層を設けたコンクリートブロックにおいて、上記植生基盤層は細骨材と、該細骨材の表面を被覆して連結するセメントペーストにて構成し、間には微細な空隙を形成したことを特徴とする植生コンクリートブロック。
【考案の詳細な説明】
【技術分野】
【０００１】
本考案は、法面、擁壁面、河岸などを緑化する為の植生コンクリートブロックに関するものである。
【背景技術】
【０００２】
道路の法面、擁壁面、河川敷などにはコンクリートブロックが敷設されて、雨水や川の増水にて土砂が流出しないように土壌の安定を表面の保護が図られている。ところで、近年では自然環境や生態系との共存が求められ、多種多様な生物が生存可能な環境形成が推進され、この為に自然環境保全と景観上の観点から様々な緑化工法が提案されている。
【０００３】
最も一般的な方法は、種子や肥料などを混合した育成培土を法面に吹き付け、生育する植物の根で倍土と地盤を緊締する工法がある。しかし、この方法は傾斜した法面に緑化資材を吹き付けるだけであり、法面の傾斜角度が６０°以上になると、大雨で造成基盤が流出してしまう。従って、大雨時には増水する虞のある河川敷には不向きである。
【０００４】
また、粒状の粗骨材にセメントペーストをまぶして骨材間を連結固化させたポーラスコンクリートブロックを法面に布設し、その法面に客土を施すと共に該客土を空隙内に充填し、これに植栽する方法が知られている。しかも、該ポーラスコンクリートブロックは保水性が低い為に、空隙内に高吸水性樹脂を充填したり、高吸水性樹脂とバインダーを混合成形した粒状骨材に混合してセメントペーストで連結固化する方法も存在している。
【０００５】
一方、コンクリートブロック表面に植生基盤を形成したものも知られている。例えば、特開２００４−４９１１９号に係る「植生コンクリート基盤及び植生コンクリートブロック」は、コンクリート基体と一体に形成された植栽層を有する植生コンクリート基盤であって、植栽層が培土資材とコンクリートの混合固化物で構成している。又、コンクリート基体と一体に形成された植栽層を有する植生コンクリートブロックであって、植栽層が培土資材とコンクリートの混合固化物より成り、培土資材が炭素質物質、遠赤外線放射物質及びキチン・キトサン類の少なくとも１種を含有して構成されている。
【０００６】
特開平９−１９４２６７号に係る「生態系の積ブロックとその製造方法」は、表出面に埋設された骨材で表面を凹凸面とする生態系の積ブロックは、骨材にゼオライト粉末とセメントとを混練りしたバインダーを添加して空隙骨材ベーストとし、この空隙骨材ペーストを型枠に所定の厚さに注入して骨材の間に空隙が出来るようにバインダーで結合している。空隙が設けられている骨材の上に、即時脱型コンクリートを注入してプレス成形し、成形された積ブロックを型枠から脱型する。
【０００７】
しかし、これらコンクリートブロックではその表面を緑化するには問題も残され、真夏になると生育したコケや藻類は水不足で枯れてしまう可能性もある。その為に、水分を定期的に与えるなどの世話が余分に必要と成り、従って、手が届かない場所での緑化がし難い。
【特許文献１】特開２００４−４９１１９号に係る「植生コンクリート基盤及び植生コンクリートブロック」
【特許文献２】特開平９−１９４２６７号に係る「生態系の積ブロックとその製造方法」
【考案の開示】
【考案が解決しようとする課題】
【０００８】
このように従来の植生ブロックには上記のごとき問題がある。本考案が解決しようとする課題はこの問題点であり、手が行き届かない場所であっても人の手を煩わすことなく表面に植物を生育することが出来るように、又真夏の水不足時であっても枯れることがないように、植生基盤層を有す植生コンクリートブロックを提供する。
【課題を解決するための手段】
【０００９】
本考案に係る植生コンクリートブロックは２つのタイプがあり、１つの植生コンクリートブロックはＪＢタイプ（商標）で、セメント、細骨材（砂）、植生基盤材を成分としたものであり、連続した小さくて無数の空隙を有す植生基盤層を少なくとも表面に形成したコンクリートブロックである。ここで、植生基盤材とはＪ−ｗｉｓｈ（植物活性材）や人工ゼオライト、又はＪ−ｗｉｓｈと人工ゼオライトの混合体が用いられる。
【００１０】
一方、他の植生コンクリートブロックはポーラスモルタルタイプであり、セメント、水、及び細骨材（砂）を成分として、連続した小さくて無数の空隙を有す植生基盤層を少なくとも表面に形成したコンクリートブロックである。ここで、水の混合比率を少なくすることで連続した空隙が形成される。ところで、コンクリートブロックの形状は色々存在しているが、法面などに敷設することが出来るものであり、そのブロックの表面版にはモルタルから成る植生基盤層が形成される。
【考案の効果】
【００１１】
本考案の植生コンクリートブロックは、植物活性材であるＪ−ｗｉｓｈ、又は人工ゼオライト、又はＪ−ｗｉｓｈと人工ゼオライトの混合体を用いて植生基盤層を構成している為に植物は生育し易く、コンクリートブロック表面を効率よく緑化することが出来る。一方、セメント、水、及び細骨材（砂）にて植生基盤を構成する場合も、水の混合割合を少なくすることで骨材間居に連続した小さい空隙を形成でき、そのコストは従来のコンクリートブロックと何ら変わらない。
【００１２】
そして、本考案のコンクリートブロックを構成する植生基盤層は細骨材（砂）が用いられている為に、すなわち従来のような骨材（小石）でない為に、内部に形成される空隙が小さくて、その数は無数となる為に、保水性が高くなって植物は生育し易く、しかも水不足で枯れることはない。又、人工ゼオライトを混入することで、さらなる保水、水質の浄化、保肥、微生物の生育環境の良好化などを図ることが出来る。
【実施例】
【００１３】
図１は本発明に係るコンクリートブロックを示す実施例である。該コンクリートブロックは所定の角度で傾斜した前面版１と後面版２、そして前面版１と後面版２を繋ぐ連結版３，３を有している。上面４と底面５は互いに平行で水平をなしている為に、該コンクリートブロックは上方へ積み上げることが出来る。上面４には２個の凸部６，６が所定の間隔をおいて突出しており、底面５には該凸部６，６が嵌合する凹部(図示なし)が設けられている。
【００１４】
各コンクリートブロックは、上面４の凸部６，６は積み重ねられる上方のコンクリートブロックの底面凹部に嵌合することで位置ズレすることなく積み重ねることが出来、図２は図１に示すコンクリートブロックを積み重ねて法面を形成した具体例である。コンクリートブロックは地面に造成した基礎コンクリート７の上に安定して積み上げられる。
【００１５】
ところで、コンクリートブロックの形状には何ら特徴はないが、本発明では前面版１の表面に植生基盤層８が設けられ、該植生基盤層８にはコケ、藻類などが生育できる環境が形成されている。すなわち、植物活性材（Ｊ−ｗｉｓｈ）と吸水・保水性特殊混和材及び人工ゼオライトを混入することで、吸水性及び保水性のある土のようなコンクリート表層を構成することが出来る。
【００１６】
従って、周辺環境の条件が良ければコケや藻類の定着が可能と成る。さらには、蛍、トンボ、蝶、蛙などの小動物の産卵場所や住居にもなり、自然と共存する環境を作ることが出来る。一方、従来のコンクリートブロックに比較して吸水性及び保水性に優れている為に、降雨によりコンクリート内部に保水した時の気化熱がコンクリート表面や周辺の気温を下げ、ヒートアイランド現象を緩和する効果もある。
【００１７】
上記、植物活性材（Ｊ−ｗｉｓｈ）とは、天然無機物（トルマリン、ゼオライト）、高分子有機物（キトサン）、炭素材、微生物などで構成される。そして主な効能としてはイオンを吸着し強アルカリ性を弱アルカリ性にし、又バクテリアの成長を促進し、さらに遠赤外線効果により栄養分を植物に流れ易くすることが出来る。
【００１８】
そして、吸水・保水性特殊混和材とは、カルシウムイオン、カリウムイオン、ナトリウムイオン、アルカリ金属イオン、ハロゲン属類を主成分とし、その他の補助成分として火力発電所からでる産業廃棄物（フライアッシュ）及びその他複数の無機化合物によって生成されたイオンリッチ状の接着混和材である。主な効能としては、物質を多孔質にし、その分子間の結び付きをより強固にすることが出来る。
【００１９】
人工ゼオライトとは、石炭灰をアルカリ処理で人工的に転換して得られるゼオライトであり、その主成分はフィリップサイトである。この人工ゼオライトは合成ゼオライトに近い性能を持っているにもかかわらず、価格は天然ゼオライトと同等に安く、本発明ではこの人工ゼオライトを植生基盤材を構成する材料の１つとして使用している。
【００２０】
人工ゼオライトは色々な機能を備えているが、人工ゼオライトを混入することで植生基盤層は多孔質となり、微生物の生育を著しく良好に保ち、植物生育の活性化を図ることが出来、又抜群の水質浄化能力を発揮する。人工ゼオライトはその表面に吸着した栄養分を僅かづつ放出し、微生物による栄養吸収を促すことが出来、生物の生育環境を良好化する。
【００２１】
そして、微生物の分解できない汚染物質でも人工ゼオライトが強固に吸着・固定して浄化することが出来る。人工ゼオライトは無数の負電荷を持っているために、正に帯電した重金属イオン類は容易に吸着され、リンなどの負に帯電した成分であっても人工ゼオライトをカルシウムなどの多価陽イオンで飽和することで吸着させることが出来る。
【００２２】
ところで、本発明のコンクリートブロックの具体的な製造工程を以下に説明する。強度に影響のないコンクリートブロック表面に設けられる植生基盤層は、上記ＪＢタイプのブロックで構成し、それ以外の部分は普通のコンクリートで構成されている。従って、各々の生コンクリートを２回に分けて打ち込まれる。
【００２３】
例えば、上記ＪＢタイプの植生基盤層を構成する材質の配合割合は次の通りである。
１００重量部のセメントに対して、
（１）水が４０〜１００重量部
（２）細骨材（砂）が１００〜５００重量部
（３）人工ゼオライトが５〜５０重量部
（４）植生基盤材が１０〜３００重量部
図３はＪＢタイプ植生基盤層を構成する断面拡大図である。このように、ＪＢタイプの植生基盤層は細骨材と植生基盤材とが混合し、これらをセメントペースト（セメント＋水）にて連結された組織と成っている。そして、細骨材と植生基盤材との間には無数の小さな空隙が形成され、これら空隙に水分が保存される。
【００２４】
又図４は植生基盤層をポーラスモルタルにて構成した場合の断面拡大図である。この場合のポーラスモルタルの成分割合は重量比にて次の通りである。
１００重量部のセメントに対して、
（１）水が４０〜６０重量部
（２）細骨材（砂）が４００〜１０００重量部
この比率は、従来のモルタルに比較して水の比率が非常小さく成っている為に、同図に示すような小さな無数の空隙が形成される。
【図面の簡単な説明】
【００２５】
【図１】本考案に係るコンクリートブロックを示す外観図。
【図２】コンクリートブロックを積み上げた状態。
【図３】ＪＢタイプ植生基盤層の断面拡大図。
【図４】モルタルに構成した植生基盤層の断面拡大図。
【符号の説明】
【００２６】
１  前面版
２  後面版
３  連結版
４  上面
５  底面
６  凸部
７  基礎コンクリート
８  植生基盤層
９  細骨材
10  植生基盤材
11  セメントペースト
12  空隙
【図１】
0003115722.tif 000003
【図２】
0003115722.tif 000004
【図３】
0003115722.tif 000005
【図４】
0003115722.tif 000006
【手続補正書】
【提出日】平成17年8月29日(2005.8.29)
【手続補正１】
【補正対象書類名】実用新案登録請求の範囲
【補正対象項目名】全文
【補正方法】変更
【補正の内容】
【実用新案登録請求の範囲】
【請求項１】
表面にコケや藻類などの植物が生育できる植生基盤層を設けたコンクリートブロックにおいて、上記植生基盤層は細骨材と植生基盤材及びこれら細骨材と植生基盤材の表面を被覆して連結するセメントペーストにて構成し、間には微細な空隙を形成したことを特徴とする植生コンクリートブロック。
【請求項２】
上記植生基盤材を天然無機物、高分子有機物、炭素材、微生物などで構成される植物活性材にて構成した請求項１記載の植生コンクリートブロック。
【請求項３】
上記植生基盤材を人工ゼオライトにて構成した請求項１記載の植生コンクリートブロック。
【請求項４】
上記植生基盤材を吸水・保水性混和材にて構成した請求項１記載の植生コンクリートブロック。
【請求項５】
上記植生基盤材を天然無機物、高分子有機物、炭素材、微生物などで構成される植物活性材、及び人工ゼオライトにて構成した請求項１記載の植生コンクリートブロック。
【請求項６】
上記植生基盤材を天然無機物、高分子有機物、炭素材、微生物などで構成される植物活性材、及び吸水・保水性混和材にて構成した請求項１記載の植生コンクリートブロック。
【請求項７】
上記植生基盤材を人工ゼオライト、及び吸水・保水性混和材にて構成した請求項１記載の植生コンクリートブロック。
【請求項８】
上記植生基盤材は、天然無機物、高分子有機物、炭素材、微生物などで構成される植物活性材、吸水・保水性混和材、及び人工ゼオライトにて構成した請求項１記載の植生コンクリートブロック。
【請求項９】
表面にコケや藻類などの植物が生育できる植生基盤層を設けたコンクリートブロックにおいて、上記植生基盤層は細骨材と、該細骨材の表面を被覆して連結するセメントペーストにて構成し、間には微細な空隙を形成したことを特徴とする植生コンクリートブロック。